(57)【要約】【課題】吐出部におけるねじ締め用のナットのスペースを抑え、小型化及び意匠性に優れた吐水装置を提供する。【解決手段】吐水管２１と、吐水管２１に接続された複合吐水部２５と、複合吐水部２５の内部に収容され、吐水形態を切り替える切替弁６０と、切替弁６０の上方への移動を規制するＣリング２３９と、複合吐水部２５に下方から連結されることで切替弁６０をＣリング２３９との間で挟持可能に構成された固定部２００と、を備え、固定部２００は、散水板である。【選択図】図３
2019044458.tif 000002
【特許請求の範囲】
【請求項１】
吐水管と、
前記吐水管に接続された吐水部と、
前記吐水部の内部に収容され、吐水形態を切り替える切替機構と、
前記切替機構の上方への移動を規制する押え部と、
前記吐水部に下方から連結されることで前記切替機構を前記押え部材との間で挟持可能に構成された固定部と、を備え、
前記固定部は、散水板であることを特徴とする吐水装置。
【請求項２】
前記吐水部の上面に上面開口があり、
前記切替機構は前記上面開口から前記吐水部に挿入され、
前記押え部は、前記切替機構が前記上面開口から抜けないように前記切替機構を押さえている請求項１に記載の吐水装置。
【請求項３】
前記押え部は、上面視でＣ字型に形成されたＣリングである請求項１又は２に記載の吐水装置。
【請求項４】
前記固定部にねじ部が形成され、
前記固定部は前記吐水部にねじで締め付け可能である請求項１から３の何れか一項に記載の吐水装置。
【発明の詳細な説明】
【技術分野】
【０００１】
本発明は、整流及びミストの何れか一方又は両方を吐水可能とする吐水装置に関する。
【背景技術】
【０００２】
ミストを吐水して浴室内を予熱する水栓が知られている。例えば、特許文献１には、給湯用吐出管から送水された湯水の一部をストレーナで整流として吐水し、前記湯水の残部をミストとして散水口から浴室内に吐水する水栓が知られている。
【先行技術文献】
【特許文献】
【０００３】
【特許文献１】特開２００４−３００９０９号公報
【発明の概要】
【発明が解決しようとする課題】
【０００４】
しかしながら、特許文献１に記載されている水栓は、吐出部に設けられた散水板等の吐水用部材をパッキン等でつぶして固定するために、吐出部の複数の箇所でねじ締めがなされ、ナットのスペースが多く必要になり、吐出部及び水栓全体の小型化が難しく、意匠性の低下を招くという問題があった。
【０００５】
そこで、本発明は、吐出部におけるねじ締め用のナットのスペースを抑え、小型化及び意匠性に優れた吐水装置を提供する。
【課題を解決するための手段】
【０００６】
本発明の吐水装置は、吐水管と、前記吐水管に接続された吐水部と、前記吐水部の内部に収容され、吐水形態を切り替える切替機構と、前記切替機構の上方への移動を規制する押え部と、前記吐水部に下方から連結されることで前記切替機構を前記押え部材との間で挟持可能に構成された固定部と、を備え、前記固定部は、散水板であることを特徴とする。
【０００７】
本発明の吐水装置によれば、押え部と散水板で切替機構をつぶして切替機構を固定することで、切替機構の封止性を高めつつ、押え部及び固定部以外の固定手段を配する必要がなくなる。このことによって、吐出部における前記固定手段のスペースを、従来のように多数のねじ締めがなされた吐出部や水栓よりも抑制することができ、吐出部及び水栓全体の小型化を容易に図り、吐出部及び水栓全体の意匠性を高めることができる。
【０００８】
本発明の吐水装置では、前記吐水部の上面に上面開口があり、前記切替機構は前記上面開口から前記吐水部に挿入され、前記押え部は、前記切替機構が前記上面開口から抜けないように前記切替機構を押さえていることが好ましい。
【０００９】
本発明の吐水装置によれば、押え部によって切替機構が押さえられているので、切替機構が下方から固定部によって締め付け固定されて下方から上方に向かう力を受けても、切替弁６０が上面開口３３０から抜けるのを確実に防止することができる。
【００１０】
本発明の吐水装置では、前記押え部材は、上面視でＣ字型に形成されたＣリングであってもよい。
【００１１】
本発明の吐水装置によれば、切替機構と吐水管接続部との間に簡易な部材であるＣリングを介装することで切替機構の上方への移動を規制することができ、切替機構がＣリングと固定部によって隙間なく挟持される。このことによって、ねじ締めの箇所が少ないに拘わらず切替機構を固定することができる。
【００１２】
本発明の吐水装置では、前記固定部にねじ部が形成され、前記固定部は前記吐水部にねじで締め付け可能であってもよい。
【００１３】
本発明の吐水装置によれば、吐水部や固定部にねじ部以外の固定手段を配する必要がなくなる。このように、散水板を固定部としても機能させることにより、吐水装置におけるねじ締めの箇所を少なくすることができるとともに、吐水装置全体の小型化を図ることができる。
【発明の効果】
【００１４】
本発明によれば、吐出部におけるねじ締め用のナットのスペースを抑え、小型化及び意匠性に優れた吐水装置が提供される。
【図面の簡単な説明】
【００１５】
【図１】本発明の一実施形態に係る吐水装置を備えた浴室の概略平面図である。
【図２】本発明の一実施形態に係る吐水装置の斜視図である。
【図３】本発明の一実施形態に係る吐水装置の複合吐水部及びその近傍の図であり、図２に示すＡ−Ａ線で矢視した断面図である。
【図４】本発明の一実施形態に係る吐水装置の切替弁の分解斜視図である。
【図５】本発明の一実施形態に係る吐水装置の切替弁の止水弁を斜め上側から下側に向かって見た斜視図である。
【図６】本発明の一実施形態に係る吐水装置の切替弁の止水弁を斜め下側から上側に向かって見た斜視図である。
【図７】本発明の一実施形態に係る複合吐水部の一部及び吐水管の分解斜視図である。
【図８】本発明の一実施形態に係る複合吐水部の一部及び吐水管の別の分解斜視図である。
【図９】本発明の一実施形態に係る吐水装置の複合吐水部の一部の図であって、（ａ）は平面図であり、（ｂ）は（ａ）のＢ−Ｂ線で矢視した断面図である。
【図１０】本発明の一実施形態に係る吐水装置の複合吐水部の一部の上面図であり、図９に示す状態を示す図である。
【図１１】本発明の一実施形態に係る吐水装置の複合吐水部の一部の別の図であって、（ａ）は平面図であり、（ｂ）は（ａ）のＣ−Ｃ線で矢視した断面図である。
【図１２】本発明の一実施形態に係る吐水装置の複合吐水部の一部の上面図であり、図１１に示す状態を示す図である。
【図１３】本発明の一実施形態に係る吐水装置の複合吐水部の一部のさらに別の図であって、（ａ）は平面図であり、（ｂ）は（ａ）のＤ−Ｄ線で矢視した断面図である。
【図１４】本発明の一実施形態に係る吐水装置の複合吐水部の一部の上面図であり、図１３に示す状態を示す図である。
【発明を実施するための形態】
【００１６】
以下、本発明の吐水装置の一実施形態について、図面を参照して説明する。なお、以下の説明で用いる図面は模式的なものであり、長さ、幅及び厚みの比率などは実際のものと同一とは限らず、適宜変更することができる。
【００１７】
図１に示すように、本実施形態の浴室１は、浴槽１１と、浴槽１１に隣接する洗い場１４と、洗い場１４に付設された水栓１３と、浴槽１１に付設された水栓（吐水装置）２０を備えている。洗い場１４にカウンター１２が設けられており、水栓１３はカウンター１２に設けられている。水栓１３は、シャワー又は整流を吐水することができる。水栓２０は、浴槽１１の外周の壁面（図示略）に設けられ、整流及びミストの何れか一方又は両方を吐水することができる。
【００１８】
水栓２０は、２つの壁面接続部２２，２２と、吐水操作部２３と、吐水管２１と、複合吐水部２５と、吐出切替部（ハンドル）３４と、Ｃリング（押え部）２３９と、固定部２００と、を備えている。なお、壁面接続部２２の一方には不図示の給水管から水が供給され、他方には不図示の給湯管から湯が供給されている。以下、水および湯が壁面接続部２２、吐水操作部２３、吐水管２１、及び複合吐水部２５の各々の流路内をこれらの順に流下する方向を「流下方向・Ｄ方向」と称する。流下方向において、壁面に近い方を「上流側」と称し、複合吐水部２５の吐水口に近い方を「下流側」と称する。
【００１９】
２つの壁面接続部２２は、壁面から浴槽１１に向けて水平方向（例えば、図１に示すＨ方向であって、紙面に平行の方向）に沿って延び、互いに近づき、再び水平方向に沿って延び、それぞれ吐水操作部２３に接続されている。
【００２０】
図２に示すように、吐水操作部２３は、水栓本体２８と、水量調節部２６と、水温調整部２７と、を備えている。水栓本体２８は、２つの壁面接続部２２の下流側の端部の延在方向（図２のＤ方向）に直交し、且つＸ方向に延びている。Ｘ方向は、水平面に沿う方向、且つ図１に示す浴槽１１の奥行き方向に平行な方向である。２つの壁面接続部２２の下流側の端部は、Ｘ方向において間隔をあけて水栓本体２８の上流側を向く面に接続されている。
【００２１】
水栓本体２８のＸ方向の一方の端部に、有底筒状の水量調節部２６が設けられている。水量調節部２６は、水栓本体２８と同軸に設けられている。水量調節部２６の外周面には、操作レバー２９が一体的に設けられている。水量調節部２６が軸Ｊ２６を中心に回転することによって、２つの壁面接続部２２から吐水管２１への吐水の開始と停止、及び２つの壁面接続部２２から吐水管２１に吐水される湯水の量が調整される。
【００２２】
水栓本体２８のＸ方向の他方の端部に、水温調整部２７が設けられている。水温調整部２７は、水栓本体２８と同軸に設けられている。水温調整部２７が軸Ｊ２７を中心に回転することによって、２つの壁面接続部２２から吐水管２１に吐水される湯水の量（バランス）が調整され、結果として、湯水の温度が調整される。
【００２３】
水栓本体２８のＸ方向の中央部の底面に、本体吐水口３０が設けられている。本体吐水口３０に、連結部３３を介して、吐水管２１の流入口３１が接続されている。本体吐水口３０と連結部３３と流入口３１は、同軸に設けられている。吐水管２１は、軸Ｊ２９を中心として水平面内で回動することができる。吐水管２１は、本体吐水口３０で水栓本体２８から着脱自在に設けられている。
【００２４】
吐水管２１は、所定の方向（本実施形態では、水平方向）に延び、流路Ｒ２１を有する直管である。吐水管２１の流路Ｒ２１のＸ方向の幅は、流路Ｒ２１の高さより大きい。流入口３１は、吐水管２１の上流側の端部の上面（即ち、浴槽１１に向く面とは反対側の面）に設けられている。本体吐水口３０は、吐水管２１の上流側の端部の上面に設けられている。吐水管２１は、例えば真鍮製である。
【００２５】
図３に示すように、複合吐水部２５は、カバー３２と、吐水管接続部２３０と、を備えている。複合吐水部２５は、吐水管２１の下流側の先端部に連設されている。
【００２６】
カバー３２は、吐水管嵌合部４８と、カバー本体４６と、を備え、カバー本体４６は第１カバー４１と、第２カバー４２とで構成されている。吐水管嵌合部４８は、吐水管２１の下流側の端部に外嵌されている。カバー本体４６は、吐水管嵌合部４８の先端部、即ち吐水管嵌合部４８の吐水管２１とは反対側に膨出している。以下、カバー本体４６、吐出切替部３４、整流吐出部３６、及び、ミスト吐出部３８の構成の説明では、カバー３２及び吐出切替部３４の中心となる軸Ｊ２５に沿う方向を上下方向と称する。上下方向において吐出切替部３４に近い方を上側と称し、整流吐出部３６やミスト吐出部３８に近い方、言い換えれば浴槽１１に近い方を下側と称する。
【００２７】
第１カバー４１の上流側の側面４１ｒに、吐水管嵌合上部４３が形成されている。吐水管嵌合上部４３は、側面４１ｒから軸Ｊ２５を中心とする径方向（以下、単に「径方向」と称する）の外側に突出している。
【００２８】
第１カバー４１の上端の外周縁には、径方向の内側に凹む凹部５４が形成されている。凹部５４には、装飾部材５６が嵌まっている。
【００２９】
第２カバー４２の上流側の側面４２ｒに、吐水管嵌合下部４４が形成されている。吐水管嵌合下部４４は、側面４２ｒから径方向の外側に突出している。吐水管嵌合下部４４は、吐水管２１の下流側の端部の下側に外嵌している。図２に示すように、第１カバー４１の上流側の下部に、第２カバー４２が係止されている。図３に示すように、側面４２ｒの内周面に、突起２４４が形成されている。突起２４４は、側面４２ｒの内周面から径方向の内側に突出し、上下方向に延びている。
【００３０】
図２に示すように、カバー本体４６は、上面視で円形に形成され、上側から下側に進むに従って拡径している。前述の概形に合わせて、カバー本体４６に、上から下に進むに従って拡径する中空部Ｓ１が形成されている。図３に示すように、第１カバー４１の上面（カバー３２の上面、複合吐水部２５の上面）に、上面開口３３０が形成されている。第１カバー４１と第二カバー４２によって形成されるカバー３２の下面に、下面開口３３２が形成されている。
【００３１】
吐水管接続部２３０は、吐水管２１の下流側の端部に直接、接続している（図８参照）。図３及び図７に示すように、吐水管接続部２３０は、上部２３２と、下部２３４と、を備えている。上部２３２の側面に、挿入口２３６が設けられている。挿入口２３６に、吐水管２１の下流側の端部が挿入されている。挿入口２３６の高さは、支持部１３０の高さと同じである。上部２３２の内周面の上端部に、径方向の外側に凹む凹部２３８が形成されている。凹部２３８に、平面視で円弧上に形成されたＣリング２３９が挿入されている。上部２３２の径方向の内側とＣリング２３９の下側にできる段差に、外壁部１１０の上端部の外周縁が係止されている。下部２３４の内側の面の上流側（即ち、上面視で吐水管２１側）に凹部２９１が形成されている。
【００３２】
下部２３４は、上部２３２より大きい直径を有している。下部２３４の内周面の上下方向の少なくとも一部に、雌ねじが形成されている。後述する固定部２００のねじ部３９０の雄ねじが、下部２３４の内周面の雌ねじ部分に螺合し、下部２３４と固定部２００とが連結されている。このことによって、下部２３４に、底部２０６より上側の固定部２００の構成及び固定部２００より径方向の内側の構成要素が全て収まっている。図７で隠れているが、下部２３４の外周面において、吐水管２１の下流側の端部の下方にあたる位置に、凹部が形成されている。この凹部に、突起２４４が嵌合される。
【００３３】
吐出切替部３４は、ハンドルカバー５０と、切替弁６０と、を備えている。ハンドルカバー５０は、使用者が切替弁６０を操作するために設けられている。ハンドルカバー５０は、カバー３２の上方に配置されている。ハンドルカバー５０は、カバー３２の上側の端部と略同じ直径を有し、有底筒状に形成され、底面を上側に向けている。ハンドルカバー５０は、切替弁６０と同軸で接続され、切替弁６０と連動して軸Ｊ２５を中心に回転する。ハンドルカバー５０の外周面に、突起５１（図２参照）が設けられている。突起５１は、ハンドルカバー５０の外周面から径方向の外側に突出し、上下方向に延びている。突起５１は、水栓２０の使用者が整流及びミストの少なくとも一方又は両方の何れを吐水させるかを決定する際の目印となっている。
【００３４】
切替弁６０は、中空部Ｓ１に配置されている。図３及び図４に示すように、切替弁６０は、上側から下側に向けて、Ｅリング７０、ストッパー８０、クイックリング９０、スプリング９８、切替弁ホルダ１００、切替部１２０、シリンダ板１４０、パッキン１５０、及び、止水弁１６０を備えている。切替弁６０を構成する複数の構成要素の上面視の中心は、軸Ｊ２５に揃っている。
【００３５】
図４に示すように、Ｅリング７０は、本体７２と、３つの係止部７４Ａ，７４Ｂ，７４Ｃと、を備えている。本体７２は、上面視で弧を描くように形成されている。係止部７４Ａ，７４Ｂは、本体７２の軸Ｊ２５を中心とする周方向（以下、単に「周方向」と称する）の両端に設けられている。係止部７４Ｃは、本体７２の周方向の略中央部に設けられている。３つの係止部７４Ａ，７４Ｂ，７４Ｃは、何れも本体７２から径方向の中心に向かって突出しており、Ｅリング７０は平面視で略Ｅ字状に形成されている。
【００３６】
ストッパー８０は、Ｅリング７０と略同じ直径を有し、筒状に形成されている。ストッパー８０に、軸Ｊ２５方向に沿って貫通孔８２が形成されている。ストッパー８０の底面に、該底面から下方に突出し、且つ側面視で半円状に形成された突起８４が周方向に２つ対向するように設けられている。
【００３７】
クイックリング９０は、環状の本体９２と、２つの突出部９４と、を備えている。突出部９４は、本体９２の径方向の外側に突出している。２つの突出部９４の各々の上面に、凹部９６が形成されている。凹部９６は、突起８４が嵌合されるように形成されている。２つの突出部９４の各々の底面に、該底面から上方に凹む凹部９７が形成されている（図３参照）。
【００３８】
切替弁ホルダ１００は、底面部１０３、底面部１０３から上方に延びる内壁部１０４、中壁部１０６（図９参照）、外壁部１１０、及び、底面部１０３から下方に延びる脚部１１２を備えている。
【００３９】
図３及び図４に示すように、底面部１０３は、周方向に拡がっている。底面部１０３に、軸Ｊ２５方向に沿って延びる貫通孔１０２が形成されている。内壁部１０４は、貫通孔１０２の外周壁をなしている。中壁部１０６は、内壁部１０４より径方向の外側にある。軽量化を図るために、中壁部１０６は、周方向において、間隔をあけて２箇所に設けられている。中壁部１０６の上端の一部に、前記上端からさらに上側に突出する突出部１０６ｔが設けられている。
【００４０】
外壁部１１０は、中壁部１０６より径方向の外側にある。即ち、切替弁ホルダ１００の上側は、３重管構造になっている。外壁部１１０の外周面には、径方向の内側に凹む凹部２６０が形成されている（図３参照）。凹部２６０に、パッキン２６１が収まっている。脚部１１２は、底面部１０３の径方向の外側の下面から下方に延びている。脚部１１２には、周方向において複数の貫通孔１１４が互いに間隔をあけて形成されている。脚部１１２の下端縁に、凹部１１５，１１６が形成されている。凹部１１５，１１６は、脚部１１２の下端縁から上側に凹んでいる。
【００４１】
切替部１２０は、上側から下側に向けて、連動部（切替軸）１２２と、芯部１２４と、湯水流入部１２６と、を備えている。連動部１２２は、上面視で、角部が円滑な矩形状に形成されている。連動部１２２の上面に、凹部１２５が形成されている。連動部１２２の外周面に、係止部１２３が設けられている。係止部１２３は、前記外周面から径方向の外側に突出し、上下方向において連動部１２２の全体に亘っている。また、連動部１２２の外周面に、溝１２７が形成されている。溝１２７は、周方向において連動部１２２の全周に亘っている。溝１２７の上下方向の大きさ（即ち、溝の幅）は、Ｅリング７０の上下方向の大きさ（厚さ）に合わせて設定されている。
【００４２】
芯部１２４は、連動部１２２の下側の端部に接続され、筒状に形成されている。芯部１２４の外周面には、径方向の中心側に凹む切欠部１３８が形成されている。切欠部１３８に、パッキン１３９が収まっている（図３参照）。芯部１２４の下端部に、拡径部１２８が設けられている。拡径部１２８は、前記下端部から径方向の外側に拡がっている。
【００４３】
湯水流入部１２６は、環状且つ板状に形成され、上下方向において３つの支持部１３０によって拡径部１２８に支持されている。支持部１３０は、拡径部１２８から径方向の外側に突出し、下方に向けて屈曲し、湯水流入部１２６の上面に接続している。湯水流入部１２６の径方向の内側に、湯水流入口１３４が形成されている。湯水流入部１２６の底面の径方向の外側に、下方に延びる延部１３７が設けられている。湯水流入部１２６の下方且つ延部１３７の径方向の内側に、段差１３６が形成されている（図４参照）。湯水流入部１２６の外周縁の２箇所に、径方向の中心側に向かって切り欠かれた切欠部１３８が形成されている。
【００４４】
図３に示すように、連動部１２２の溝１２７より下側は、中空部Ｓ１に配置されている。溝１２７に、Ｅリング７０が嵌合されている。貫通孔８２の上部は溝１２７より下部の連動部１２２の外周縁と同じ形状を有し、貫通孔８２の下部は芯部１２４の外周縁と同じ形状を有している。従って、貫通孔８２に、連動部１２２の下部及び芯部１２４の上端部が挿通している。
【００４５】
突起８４が凹部９６に嵌合されると共に、凹部９７に、スプリング９８の上端部が挿入されている。図３及び図４に示すように、径方向において、内壁部１０４と中壁部１０６との間に形成された凹所に、スプリング９８の下端部が挿入されている。中壁部１０６は、連動部１２２との間に、ストッパー８０の下端部、クイックリング９０、及びスプリング９８を挟んでいる。（図９参照）
【００４６】
シリンダ板１４０は、略円盤状に形成され、段差１３６に嵌まっている。段差１３６に嵌まった状態で、シリンダ板１４０は、湯水流入口１３４の底部に配置される。シリンダ板１４０に、貫通孔（第１貫通孔）１４２Ａ及び貫通孔（第２貫通孔）１４２Ｂが形成されている。２つの貫通孔１４２Ａ，１４２Ｂは、周方向の略１／４ずつを開口するように、互いに間隔をおいて形成されている。シリンダ板１４０において、貫通孔１４２Ａ，１４２Ｂが形成された以外の領域は板面として構成され、湯水流入口１３４を閉塞している。シリンダ板１４０の外周部において、切欠部１３８に対応する２箇所に、突起１４４が設けられている。突起１４４は、シリンダ板１４０の外周部から上方に延び、切欠部１３８に嵌められている。
【００４７】
パッキン１５０に、２つの貫通孔１５２Ａ，１５２Ｂが形成されている。パッキン１５０は、後述する止水弁１６０の凹部１６５に嵌合可能な形状で形成されている。
【００４８】
止水弁１６０は、分岐部１６２と、支持壁１６４と、を備えている。分岐部１６２は、平面視で円形に形成されている。分岐部１６２に、通水孔（第１通水孔）１６２Ａ及び通水孔（第２通水孔）１６２Ｂが形成されている。通水孔１６２Ａ，１６２Ｂは、周方向で隣り合う略１／３ずつを開口している。パッキン１５０の貫通孔１５２Ａ，１５２Ｂの各々は、上面視で通水孔１６２Ａ，１６２Ｂの各々と同様の形状を有し、通水孔１６２Ａ，１６２Ｂより一回り大きく形成されている。通水孔１６２Ａ，１６２Ｂの外周縁に、隔壁１６３Ａ，１６３Ｂが設けられている。隔壁１６３Ａ，１６３Ｂの周囲は、径方向の外側の外周上部２６３より下側に凹んだ凹部１６５が形成されている。凹部１６５は、隔壁１６３Ａ，１６３Ｂの外周縁に沿い、隔壁１６３Ａ，１６３Ｂ同士を隔てている。凹部１６５に、パッキン１５０が嵌まっている。
【００４９】
外周上部２６３の上面の外周縁に、突起１１８，１１９が形成されている。突起１１８，１１９は、外周上部２６３の上面の外周縁から上方に延びている。突起１１８の側面視の形状は、凹部１１５の側面視の形状と略同等である。突起１１９の側面視の形状は、凹部１１６の側面視の形状と同様である。突起１１８は凹部１１５に嵌まり、突起１１９は、凹部１１６に嵌まっている。
【００５０】
図４に示すように、分岐部１６２の上面において、周方向で、通水孔１６２Ａ，１６２Ｂが形成されていない１／３の部分（残部）は、平面視で閉塞されている。前記残部に、凹部１６６が形成されている。凹部１６６の深さは、凹部１６５の深さと略同じである。凹部１６５と凹部１６６との間に、隔壁１６３Ｃ，１６３Ｄがある。隔壁１６３Ｃ，１６３Ｄ同士の間に、隙間ｇがあいている。凹部１６５と凹部１６６は、隙間ｇで連通している。図３に示すように、分岐部１６２の外周面に、径方向の内側に凹む凹部１６８が形成されている。凹部１６８に、パッキン１６９が収まっている。
【００５１】
図５に示すように、支持壁１６４は、分岐部１６２の底面の外周部から下側に延びている。通水孔１６２Ｂの周方向の下方にあたる支持壁１６４の部分、且つ支持壁１６４の上側の部分に、ミスト用吐水口１７０Ｍが開口している。支持壁１６４の内部に、ミスト用導水壁１７２が設けられている。
【００５２】
ミスト用導水壁１７２は、通水孔１６２Ｂとミスト用吐水口１７０Ｍとを連通させるように形成されている。ミスト用導水壁１７２は、隣接する側壁１７２Ａ，１７２Ｂと、側壁１７２Ａ，１７２Ｂに連設された底壁１７２Ｃと、を備えている。側壁１７２Ａ，１７２Ｂはそれぞれ、凹部１６５のうち、通水孔１６２Ａ，１６２Ｂ同士を隔てる部分（凹部１６５ｊ）と、通水孔１６２Ｂと凹部１６６とを隔てる部分（凹部１６５ｋ）の各部分の下方にあたる分岐部１６２の下面から、下降しつつ、ミスト用吐水口１７０Ｍの下端部に向けて緩やかに湾曲している。底壁１７２Ｃは、側壁１７２Ａ，１７２Ｂの各々の下端部からミスト用吐水口１７０Ｍの下端部に延び、軸Ｊ２５に直交する面に沿っている。即ち、底壁１７２Ｃ及び側壁１７２Ａ，１７２Ｂによって、ミスト流路ＲＭが構成されている。
【００５３】
図６に示すように、支持壁１６４の内部に、ミスト用導水壁１７２に加えて、隔壁１７４が設けられている。隔壁１７４は、側壁１７２Ａ，１７２Ｂ同士の接合部から、通水孔１６２Ａと凹部１６６とを隔てる部分（凹部１６５ｍ）の下方にあたる分岐部１６２の下面に沿って、支持壁１６４の径方向の内側の面まで配され、上下方向に延びている。支持壁１６４の下面全体に、整流用吐水口１７０Ｓが開口している。
【００５４】
止水弁１６０において、整流流路ＲＳは、通水孔１６２Ａと整流用吐水口１７０Ｓが支持壁１６４の内部で連通することによって形成されている。ミスト流路ＲＭは、通水孔１６２Ｂとミスト用吐水口１７０Ｍが連通することによって形成されている。ミスト用導水壁１７２によって、整流流路ＲＳとミスト流路が完全に遮断され、整流用吐水口１７０Ｓとミスト用吐水口１７０Ｍが完全に遮断されている。
【００５５】
支持壁１６４の外周面の下部に、径方向の内側に凹む凹部１７７が形成されている。凹部１７７に、パッキン１７８が収まっている。支持壁１６４の下端に、径方向における止水弁１６０の位置を決めるための環状部１７９が嵌っている。環状部１７９は、基台２２３と、係止部２２４と、を備えている。基台２２３は、支持壁１６４の下端に下方から接触している。係止部２２４は、基台２２３の内周縁から上方に延び、支持壁１６４の下端部の径方向の内側に接触している。
【００５６】
図３に示すように、固定部２００は、吐出切替部３４の下部に接続され、整流吐出部３６及びミスト吐出部３８を有している。また、固定部２００は、散水板であり、内壁部２０２と、外壁部２０４と、底部２０６と、を備えている。底部２０６は、主に散水板として機能し、カバー本体４６の下端の開口に嵌まっている。底部２０６の径方向の中央に、上側に凹む挿通孔２０８が形成されている。挿通孔２０８の側壁は、雌ねじが形成されている。挿通孔２０８に、所謂ストレーナ等と呼ばれる整流吐水具２１０が螺合されている。挿通孔２０８に整流吐水具２１０を下方からねじ込めるように、整流吐水具２１０の側面に、雄ねじが形成されている。整流吐水具２１０の下部に、整流網が設けられている。整流吐水具２１０の下端の径方向の中央に、整流吐水口２２０Ｓが設けられている。
【００５７】
内壁部２０２は、挿通孔２０８の外周縁に配され、底部２０６から上側に略円筒状に延びている。上下方向における挿通孔２０８の上端部、即ち内壁部２０２の中央近傍に、突起２１２が設けられている。突起２１２は、内壁部２０２から径方向の内側に突出している。径方向における突起２１２同士の間に、貫通孔２１４が形成されている。挿通孔２０８と貫通孔２１４は、連通している。突起２１２の上方に、基台２２３が配置されている。突起２１２の上側の内壁部２０２の径方向の内側に、支持壁１６４の下端部が係止されている。
【００５８】
外壁部２０４は、内壁部２０２の径方向の外側に設けられ、底部２０６から上側に略円筒状に延びている。外壁部２０４の外周面の上部に、ねじ部３３０が設けられている。ねじ部３３０に、雄ねじが形成されている。外壁部２０４の外周面の下部に、径方向の内側に凹む凹部２５２が形成されている。凹部２５２に、パッキン２５３が収まっている。
【００５９】
固定部２００における内壁部２０２と外壁部２０４との間に、ミスト通水孔２１６が形成されている。ミスト通水孔２１６は、周方向に沿って等間隔に形成されている。各々のミスト通水孔２１６に、拡散具２１８が挿入されている。拡散具２１８は、把持部２２６と、拡散吐水部２２８と、を備えている。把持部２２６は、ミスト通水孔２１６より小さい直径の略円柱状に形成されている。拡散吐水部２２８は、把持部２２６の下側に連設され、ミスト通水孔２１６と略同じ直径を有している。拡散吐水部２２８の外周面に、上下方向に沿って螺旋状の溝２２９が形成されている。ミスト通水孔２１６の下部は、一旦縮径され、その後、再度拡径されて、ミスト吐水口２２０Ｍになっている。ミスト吐水口２２０Ｍの直径は、ミスト通水孔２１６の上端部の直径と略同じに構成されている。
【００６０】
図３を参照するとわかるように、連動部１２２の上部は、カバー３２の上端から上方に突出している。連動部１２２は、ハンドル接続部６５を介してハンドルカバー５０に接続されている。ハンドル接続部６５は、本体６６と、延出部６７と、を備えている。本体６６は、ハンドルカバー５０の内部に収まるように形成されている。本体６６の外周面には、径方向の中心側に凹む凹部６８が形成されている。凹部６８に、パッキン６９が収まっている。
【００６１】
本体６６の上面に、第１凹部６７Ａが形成されている。第１凹部６７Ａの底面に、第１凹部６７Ａより小さい直径を有する貫通孔６７Ｂが形成されている。第１凹部６７Ａと貫通孔６７Ｂの中心は、軸Ｊ２５に揃っている。第１凹部６７Ａ、貫通孔６７Ｂ、及び切替部１２０の凹部１２５に、ねじ２０１が挿入されている。ねじ２０１の頭部は、第１凹部６７Ａ内に配置されている。ねじ２０１の軸部は、貫通孔６７Ｂに挿通され、凹部１２５に螺合されている。
【００６２】
上述で説明した各構成要素の吐水管２１への固定について、図７及び図８を参照し、説明する。図７では、吐水管２１の下流側の端部に上部２３２が挿入され、吐水管２１と上部２３２とがロウ付けされている。このことによって、流路Ｒ２１と、挿入口２３６と、湯水流入口１３４が連通している。図７に示す状態から、先ず、Ｃリング２３９が上方から外壁部１１０の所定の位置に配され、切替弁６０、及び、環状部１７９が上方から吐水管接続部２３０の中空部Ｓ４に挿入される。
【００６３】
次いで、パッキン２５３が凹部２５２に収まり、ミスト通水孔２１６に拡散具２１８が挿入されつつ、固定部２００が下方から下部２３４の内側にねじ止めされる。整流吐水具２１０は、下方から挿通孔２０８にねじ止めされる。
【００６４】
図７に示す状態と同様に、図８では、吐水管２１の下流側の端部と上部２３２とがロウ付けされている。図８に示す状態から、先ず、第１カバー４１が上方から吐水管接続部２３０に被さり、装飾部材５６が凹部５４に嵌められる。即ち、切替弁６０は、カバー３２の上面開口３３０から複合吐水部２５に挿入されている。
【００６５】
次いで、パッキン６９が凹部６８に嵌められ、カバー３２の上面開口３３０を通じ、ハンドル接続部６５が連動部１２２に上方から嵌められる。ねじ２０１を上方から凹部１２５にねじ込むことで、ハンドル接続部６５が上部２３２に固定される。同時に、切替弁６０は、Ｃリング２３９によって、上面開口３３０から上方へ抜けないように押さえられる。
【００６６】
続いて、ハンドルカバー５０が本体６６に装着される。このように、水栓２０の使用者が直接手を触れるハンドルカバー５０は、整流及びミストの少なくとも一方が吐水される側（即ち、複合吐水部２５の下側）とは、反対側（即ち、複合吐水部２５の上側）に設けられている。続いて、下部２３４の外周面の凹部に、突起２４４が嵌まると、第２カバー４２が下部２３４に装着される（図３参照）。吐水管嵌合下部４４が吐水管２１の下流側の端部の下側に装着されている。さらに、突起２１２が凹部２９１に嵌まるように、突起第１カバー４１の上流側の下部に、第２カバー４２が係止されている。
【００６７】
次いで、図９から図１４を参照し、水栓２０からの吐水を整流及びミストの少なくとも一方又は両方に切り替える方法と原理を説明する。
【００６８】
＜複合吐水部までの共通吐水＞
水栓２０の使用者（以下、単に「使用者」という場合がある）が操作レバー２９を「吐水開始」の位置に動かすと、湯水Ｗ（即ち、所望の水温の水）が吐水操作部２３から吐水管２１の流路Ｒ２１を流下し、複合吐水部２５に流入する。挿入口２３６から湯水流入口１３４に至る流路は、吐水形態に依らない共通流路ＲＣとなっている。複合吐水部２５に流入した湯水Ｗは、共通流路ＲＣを流下する。
【００６９】
＜整流のみの吐水＞
水栓２０で整流のみを吐水させるためには、使用者がハンドルカバー５０の突起５１を周方向の「整流吐水」の位置に動かす。ハンドルカバー５０の回転に連動し、連動部１２２、シリンダ板１４０が軸Ｊ２５を中心に回転する。図９の（a），（ｂ）及び図１０に示すように、上側から下側に向けて、貫通孔１４２Ａと凹部１６６が重なり、貫通孔１４２Ｂと通水孔１６２Ａが重なる。このことによって、貫通孔１４２Ｂと通水孔１６２Ａが連通し、連通部２７３Ａが形成され、整流流路ＲＳが開通する。一方で、図１０に示すように、貫通孔１４２Ａは、凹部１６６の下側の面で閉塞される。従って、共通流路ＲＣを流下した湯Ｗの流下先は、整流流路ＲＳのみに切り替わり、貫通孔１４２Ａを流下した湯Ｗは吐水されない。整流流路ＲＳを流下した湯Ｗは、整流用吐水口１７０Ｓからさらに流下し、整流吐水口２２０Ｓから整流として吐水される。このような動作によって、複合吐水部２５からは、整流ＷＳ（図２参照）のみが吐水される。
【００７０】
＜整流及びミストの吐水＞
水栓２０で整流及びミストを吐水させるためには、使用者がハンドルカバー５０の突起５１を周方向において「整流吐水」と「ミスト吐水」との間の所望の位置に動かす。ハンドルカバー５０の回転に連動し、連動部１２２、シリンダ板１４０が軸Ｊ２５を中心に回転する。図１１の（ａ），（ｂ）及び図１２に示すように、上側から下側に向けて、貫通孔１４２Ａと通水孔１６２Ａ、及び貫通孔１４２Ｂの一部と通水孔１６２Ａが重なり、貫通孔１４２Ｂの残りの部分と通水孔１６２Ｂが部分的に重なる。このことによって連通部２７３Ａが形成され、貫通孔１４２Ａと通水孔１６２Ａが連通し、整流流路ＲＳが開通する。同時に連通部２７３Ｂが形成され、貫通孔１４２Ｂと通水孔１６２Ｂが連通し、ミスト流路ＲＭが開通する。従って、共通流路ＲＣを流下した湯Ｗのうち、貫通孔１４２Ａを流下した湯Ｗは、整流流路ＲＳを流下し、整流吐水口２２０Ｓから整流ＷＳとして吐水される。貫通孔１４２Ｂと通水孔１６２Ａとで連通した連通部１４２Ｂａを流下した湯水Ｗも、整流流路ＲＳを流下し、整流吐水口２２０Ｓから整流ＷＳとして吐水される。貫通孔１４２Ｂと通水孔１６２Ｂとで連通した連通部１４２Ｂｂを流下した湯水Ｗは、ミスト流路ＲＭを流下し、ミスト吐水口２２０ＭからミストＷＭ（図２参照）として吐水される。
【００７１】
使用者がハンドルカバー５０の突起５１の位置を周方向において「整流」と「ミスト」との間で動かすと、ハンドルカバー５０の回転に連動し、連通部１４２Ｂａと連通部１４２Ｂｂとの面積比が変わる。整流とミストの吐水量の比は、（貫通孔１４２Ａ及び貫通孔１４２Ｂと通水孔１６２Ａとで連通した連通部２７３Ａの総面積）と（貫通孔１４２Ａ及び貫通孔１４２Ｂと通水孔１６２Ｂとで連通した連通部２７３Ｂの総面積）の比によって変わる。このことによって、使用者は、ハンドルカバー５０の突起５１の位置を変えることで、整流とミストの吐水量の比を所望の比に変えることができる。即ち、水栓２０は、切替部１２０によって、整流吐水口２２０Ｓに流下させる湯水Ｗの量と、ミスト吐水口２２０Ｍに流下させる湯水Ｗの量との割合を調整可能に構成されている。
【００７２】
＜ミストのみの吐水＞
水栓２０でミストのみを吐水させるためには、使用者がハンドルカバー５０の突起５１を周方向の「ミスト吐水」の位置に動かす。ハンドルカバー５０の回転に連動し、連動部１２２、シリンダ板１４０が軸Ｊ２５を中心に回転する。図１３の（a），（ｂ）及び図１４に示すように、上側から下側に向けて、貫通孔１４２Ａの一部及び貫通孔１４２Ｂの一部と通水孔１６２Ｂが重なる。貫通孔１４２Ａ，１４２Ｂは、通水孔１６２Ａ（及び凹部１６６）には重ならない。このことによって、連通部１４２Ａｂ，１４２Ｂｂ、即ち連通部２７３Ｂが形成され、貫通孔１４２Ａ，１４２Ｂと通水孔１６２Ｂが連通し、ミスト流路ＲＭのみが開通する。一方で、図１４に示すように、通水孔１６２Ａ及び凹部１６６は、シリンダ板１４０のうち貫通孔１４２Ａ，１４２Ｂが設けられていない部分で閉塞される。従って、共通流路ＲＣを流下した湯Ｗの流下先は、ミスト流路ＲＳのみに切り替わる。ミスト流路ＲＭを流下した湯Ｗは、ミスト吐水口２２０Ｍからミストとして吐水される。このような動作によって、複合吐水部２５からは、ミストＷＭのみが吐水される。
【００７３】
以上説明した本実施形態の水栓２０は、吐水管２１と、吐水管２１に接続された複合吐水部２５と、複合吐水部２５の内部に収容され、吐水形態を切り替える切替弁６０と、切替弁６０の上方への移動を規制するＣリング２３９と、複合吐水部２５に下方から連結されることで切替弁６０をＣリング２３９との間で挟持可能に構成された固定部２００と、を備えている。そして、固定部２００は、散水板である。
【００７４】
水栓２０によれば、Ｃリング２３９と固定部２００で切替弁６０をつぶして吐水切替部３４を固定することで、切替弁６０の封止性を高めつつ、Ｃリング２３９及び固定部２００以外の固定手段を配する必要がなくなる。このことによって、複合吐出部２５における固定手段のスペースを、従来のように例えば多数のねじ締めがなされた吐出部や水栓よりも抑制することができる。その結果、複合吐出部２５及び水栓２０全体の小型化を容易に図り、これらの意匠性を高めることができる。
【００７５】
また、本実施形態の水栓２０では、複合吐水部２５の上面に上面開口３３０があり、切替弁６０は上面開口３３０から複合吐水部２５に挿入されている。Ｃリング２３９は、切替弁６０が上面開口３３０から抜けないように切替弁６０を押さえている。
【００７６】
水栓２０によれば、Ｃリングによって切替弁６０が上方から押さえられているので、切替弁６０が下方から固定部２００によって締め付け固定され、下方から上方に向かう力を受けても、切替弁６０が上面開口３３０から抜けるのを確実に防止することができる。また、使用者が吐水形態を切り替える際に切替弁６０に少なからず負荷がかかっても切替弁６０の固定が安定して維持される。
【００７７】
また、本実施形態の水栓２０では、押え部として、上面視でＣ字型に形成されたＣリング２３９を用いている。切替弁６０と吐水管接続部２３０との間に簡易な部材であるＣリング２３９を介装することで、切替弁６０の上方への移動を規制することができ、切替弁６０をＣリング２３９と固定部２００によって隙間なく挟持することができる。このことによって、ねじ締めの箇所が少ないにも拘わらず、切替弁６０を固定することができる。
【００７８】
また、本実施形態の水栓２０では、固定部２００にねじ部３９０が形成され、固定部２００は複合吐水部２５にねじで締め付け可能とされている。このことによって、複合吐水部２５や固定部２００にねじ部以外の固定手段を配する必要がなくなる。所謂散水板を固定部２００としても機能させることによって、水栓２０におけるねじ締めの箇所を少なくすることができるとともに、水栓２０の小型化を図ることができる。
【００７９】
以上、本発明の好ましい実施形態について詳述したが、本発明は係る特定の実施形態に限定されるものではなく、特許請求の範囲内に記載された本発明の要旨の範囲内において、種々の変更が可能である。
【００８０】
例えば、押え部材は、切替弁６０の上方への移動を規制できる部材であればよく、Ｃリング２３９でなくてもよい。また、Ｃリングの設置位置や高さも上述の実施形態に限られない。
【００８１】
また、上述の実施形態では、挿通孔２０８の側壁に雌ねじが形成されていると説明したが、雄ねじが形成されていてもよい。それと共に、外壁部２０４の外周面の上部に、雄ねじに変えて雌ねじが形成されていてもよい。即ち、雄ねじと雌ねじは、逆でもよい。また、雄ねじと雌ねじとが螺合可能であれば、これらのねじの形成位置や高さも上述の実施形態に限られない。
【００８２】
また、上述の実施形態では、押え部として機能するＣリング２３９は複合吐水部２５に内蔵され個別の部材であるが、本発明に係る吐水装置の押え部は、複合吐水部２５の構成要素と一体に設けられていてもよい。
【００８３】
また、本発明に係る吐水装置は、少なくとも吐水部と、切替機構と、押え部と、固定部と、を備えていれば、その他の構成要素は限定されない。即ち、本発明に係る吐水装置の形態は、上述の実施形態で説明したように水栓本体２８を備えた「水栓」であってもよく、複合吐水部２５に連設された吐水管２１が水栓本体から着脱自在に設けられている「複合吐水部付き吐水管」であってもよい。
【符号の説明】
【００８４】
２０  水栓
２１  吐水管
２５  複合吐水部（吐水部）
６０  切替弁（切替機構）
２００  固定部（散水板）
２３０  吐水管接続部
２３９  Ｃリング（押え部）
３３０  上面開口
３９０  ねじ部
Ｗ  湯水
【図１】
2019044458.tif 000003
【図２】
2019044458.tif 000004
【図３】
2019044458.tif 000005
【図４】
2019044458.tif 000006
【図５】
2019044458.tif 000007
【図６】
2019044458.tif 000008
【図７】
2019044458.tif 000009
【図８】
2019044458.tif 000010
【図９】
2019044458.tif 000011
【図１０】
2019044458.tif 000012
【図１１】
2019044458.tif 000013
【図１２】
2019044458.tif 000014
【図１３】
2019044458.tif 000015
【図１４】
2019044458.tif 000016